(57)【要約】【課題】被温度検知体との間の状態にかかわらず接触式温度検知部在が被温度検知体から浮きにくくする。【解決手段】サーミスタ１００の支持部材１０１ａはサーミスタを構成する素子の両端側に伸び、サーミスタ１００は両持ち梁状に支えられている。すなわちサーミスタ１００の支持部材１０１ａの両端を両持ち梁状に保持し、サーミスタ１０４が定着ローラ１０４から浮きにくくする。サーミスタ１００の温度検知素子１０３は被温度検知体である定着ローラ１０４に当接している。この当接圧が強いと定着ローラ１０４やサーミスタ１００の表面が摩擦で削れ、また、当接圧が低いとサーミスタ１００と定着ローラ１０４の間に定着ローラに付着したオフセット状態のトナーが堆積するので、適宜の当接圧となるように調節する。【選択図】図３
2015075507.tif 000002
【特許請求の範囲】
【請求項１】
回転する被温度検知体の表面に温度検知素子を当接させることで温度を検知する接触式温度検知部材において、
前記温度検知素子を該温度検知素子の両端から支持する支持部材を備えることを特徴とする接触式温度検知部材。
【請求項２】
前記温度検知素子の表面を離形性が高い耐熱性シートで覆ったことを特徴とする請求項１に記載の接触式温度検知部材。
【請求項３】
前記被温度検知体の表面粗さＲａが前記耐熱性シートの表面粗さＲａよりも大きいことを特徴とする請求項１または２に記載の接触式温度検知部材。
【請求項４】
前記温度検知部材を支持している支持部材を可動として、前記温度検知部材と前記被温度検知体の当接部が接離可能としてなることを特徴とする請求項１乃至３のいずれかに記載の接触式温度検知部材。
【請求項５】
請求項１乃至４のいずれかに記載の接触式温度検知部材を用いて前記被温度検知体の温度検知を行い、前記被温度検知体の温度制御を行うことを特徴とする加熱装置。
【請求項６】
請求項１乃至４のいずれかに記載の接触式温度検知部材を備え、加熱ローラと加圧ローラとにより記録材に転写されたトナー像を定着させることを特徴とする定着装置。
【請求項７】
請求項６に記載の定着装置を備えたことを特徴とする画像形成装置。
【発明の詳細な説明】
【技術分野】
【０００１】
本発明は、接触式サーミスタ等の接触式温度検知部材、これを備えた加熱装置、定着装置、及び、複写機、プリンター、ファクシミリ、これらの複合機等の画像形成装置に関する。
【背景技術】
【０００２】
複写機等の画像形成装置が備える定着装置に、温度検知部材として接触式サーミスタを用いることが既に提案されている。温度検知部材としての接触式サーミスタは、加熱ローラに摺接して加熱ローラの温度検知する構成となっている。従来用いられている接触式サーミスタは、その支持部材の一端だけを支持した片持ち構造となっている。
【発明の概要】
【発明が解決しようとする課題】
【０００３】
しかしながら上述のような構成では、加熱ローラに付着してきたトナーが、被温度検知体である加熱ローラと接触式サーミスタの当接部とその周辺に付着する。このことで、接触式サーミスタが浮きあがってしまい、接触式サーミスタの温度検知精度が悪くなるという問題があった。
【０００４】
特許文献１には、定着ローラと定着ローラを加熱するために定着ローラと接触しているヒータを備えた定着器が開示されている。この定着器は、定着ローラとヒータの間に定着ローラ上に付着したオフセット状態のトナーが堆積することによる定着ローラ表面の汚れの低減を目的とする。そのため、定着ローラとヒータの間に耐熱性シートを挟み、そのシートに付着したトナーを、シートを巻き取ることで除去し、定着ローラの表面を綺麗に保つ方法として開示されている。
【０００５】
しかしながら特許文献１に開示されている発明は、サーミスタに関しては何ら言及されておらず、もちろん、サーミスタの浮きによって温度検知の精度が低下するという問題にも言及されていない。
【０００６】
本発明は、被温度検知体との間の状態にかかわらず接触式温度検知部在が被温度検知体から浮きにくくすることを目的とする。
【課題を解決するための手段】
【０００７】
本発明に係る接触式温度検知部材は、回転する被温度検知体の表面に温度検知素子を当接させることで温度を検知する接触式温度検知部材において、前記温度検知素子を該温度検知素子の両端から支持する支持部材を備えることを特徴とする。
【発明の効果】
【０００８】
本発明によれば、被温度検知体である定着ローラと温度検知部材である接触式サーミスタの当接部が浮きにくくなり、それに伴うサーミスタの温度検知の精度を向上させることができる。
【図面の簡単な説明】
【０００９】
【図１】電子写真装置の概略構成について説明する図である。
【図２】定着器で温度検知を行う接触式サーミスタの従来例の構成を示す図である。
【図３】本発明の実施形態に係るサーミスタの形状を示す図である。
【図４】図３に示した実施形態の変形例を示す図である。
【図５】図３に示した実施形態の他の変形例を示す図である。
【発明を実施するための形態】
【００１０】
本発明の実施の形態を図面を参照して詳細に説明する。
本発明の実施形態に係る現像剤収容部と廃トナー回収部の連結機構をモノクロ電子写真装置に用いた場合について説明する。図１は、電子写真装置の概略構成について説明する図である。まず、モノクロ電子写真装置の構成および動作を図１とともに説明する。図１はモノクロ電子写真装置の中央断面概略構成図である。
【００１１】
モノクロ電子写真装置１は、機枠体のほぼ中央部にプロセスカートリッジ２を配置している。プロセスカートリッジ２内部の感光体３の上に配置された感光体３に潜像を形成するための露光装置６０を配置している。
【００１２】
トナーカートリッジ２の下側に転写ローラ７０を設置し、その下側には記録媒体を積載・収容する給紙カセット１１を配置している。給紙装置１２にて給紙された記録媒体は転写ローラ７０と感光体３との間を通り、定着器８０へ導かれ、加熱、加圧ローラ（定着ローラと加圧ローラ等）により記録媒体にトナー像を熱定着させる。排紙装置１５によりモノクロ電子写真装置１の上面の排紙トレーに排紙される。また転写ローラ７０に高電位を印加することによって感光体３と転写ローラ７０に電位差を設けて感光体３表面に形成されたトナー像を転写する。
【００１３】
従来、定着器で温度検知を行う接触式のサーミスタ１００は図２に示すように定着ローラ１０４に対して温度検知素子１０３の部位で当接しており、温度検知素子１０３は支持部材１０１によって片持ち梁状に支えられている。図中１０２は支持部材１０１の支持部を示す。
【００１４】
これに対して、本実施形態に係るサーミスタの形状を図３に示す。サーミスタ１００の支持部材１０１はサーミスタを構成する素子の両端側に伸び、サーミスタ１００は両持ち梁状に支えられている。図中１０５、１０５は支持部材１０１の支持部を示す。本実施形態でも、サーミスタ１００の温度検知素子１０３は被温度検知体である定着ローラ１０４に当接している。当接圧は０．０２Ｎ／ｍｍ２から０．０８Ｎ／ｍｍ２が望ましい。これは以下の理由による。当接圧が強いと定着ローラ１０４やサーミスタ１００の表面が摩擦で削れる。また、当接圧が低いとサーミスタ１００と定着ローラ１０４の間に定着ローラに付着したオフセット状態のトナーが堆積する。すると、定着ローラ１０４からサーミスタ１００が浮き、サーミスタの検知温度の精度が悪くなる。したがって、適宜の当接圧となるように調節することが望ましい。
【００１５】
図４は前記実施形態の変形例を示す。図示のようにこの例は、サーミスタ１００の表面を、耐熱性、耐久性、離型性が高いフィルム１０６でコーティングしてある。コーティングによりサーミスタ１００の表面粗さを定着ローラ１０４の表面粗さよりも滑らかにしている。それにより、定着ローラ１０４に付着したオフセット状態のトナーはサーミスタ１００に付着しにくくなる。そのことで、定着ローラ１０４からサーミスタ１００が浮きにくくなり、サーミスタ１００の検知温度の精度を向上させることができる。
【００１６】
すなわち、接触式温度検知部材の表面を離形性が高い耐熱性シートで覆えば、温度検知部材との当接部に付着する物質の量が減り、温度検知部材が被温度検知体から浮きにくくなるのである。なお、被温度検知体の表面粗さＲａが耐熱性シートの表面粗さＲａよりも大きいものとすれば、被温度検知体に付着する物質が、非温度検知体と温度検知部材の間に移動してきても、被温度検知体と温度検知部材の間に残りにくくなる。
【００１７】
図５は前記実施形態の他の変形例を示す。図示のようにこの例は、サーミスタ１００の支持部材１００ａの一端を可動式にしてある。このことによって、定着ローラ１０４からサーミスタ１００の当接部を接離可能とすることができる。温度検知の必要のないときはサーミスタ１００を定着ローラ１０４から離すことで、定着ローラ１０４とサーミスタ１００の当接部へのオフセット状態のトナーの堆積を減らすことができる。すなわち、被温度検知体の温度を検知する必要がない場合は、被温度検知体と温度検知部材を接触させないことで、非温度検知体の表面を移動してくる物質の付着を抑えることができる。
【００１８】
本実施形態に係る温度検知部材を、加熱手段である定着ローラの表面温度検知に用いると、定着ローラの表面温度の制御の精度を上げることができる。また、加熱装置である定着器に用いることでトナーを最適な温度で定着させることができる。さらに、この定着器を用いた画像形成装置は定着器の温度検出の精度が上がったことにより、画質や安全性の向上が見込まれる。
【００１９】
以上説明してきたように、本実施形態は、サーミスタの支持部材の両端を両持ち梁状に保持し、サーミスタが浮きにくくしている。すなわち、サーミスタと定着ローラの間にトナーが堆積しにくく、定着ローラとサーミスタが離れにくい。
【００２０】
また本発明は以上説明した実施形態に限定されるものではなく、多くの変形が本発明の技術的思想内で当分野において通常の知識を有する者により可能である。
【符号の説明】
【００２１】
１：モノクロ電子写真装置
２：プロセスカートリッジ
３：感光体
１１：給紙カセット
１２：給紙装置
１５：排紙装置
６０：露光装置
７０：転写ローラ
８０：定着器
１００：サーミスタ
１０１：支持部材
１０１：サーミスタの支持部材
１０２、１０５：支持部材の支持部
１０３：温度検知素子
１０４：定着ローラ
１０６：フィルム
【先行技術文献】
【特許文献】
【００２２】
【特許文献１】特開２０１２−１０８１７２号公報
【図１】
2015075507.tif 000003
【図２】
2015075507.tif 000004
【図３】
2015075507.tif 000005
【図４】
2015075507.tif 000006
【図５】
2015075507.tif 000007